【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
複数の撮影手段から被写体の撮影結果として得られるコンテンツデータを処理する情報処理装置において、
グループ化された各上記撮影手段から得られる各上記コンテンツデータ同士をリンクさせるためのアドレス情報を含む付加情報を、各上記コンテンツデータと関連づけて記憶する記憶手段と、
上記記憶手段により記憶された上記付加情報を読み出す読出手段と、
上記読出手段により上記記憶手段から特定の上記撮影手段に対応する上記コンテンツデータが読み出された場合、当該読み出されたコンテンツデータにリンクする上記コンテンツデータを自動的に検索する検索手段と
を具えることを特徴とする情報処理装置。
【請求項２】
上記アドレス情報は、主従関係を持たせた状態で上記グループ化された各上記撮像手段から、上記被写体の撮像結果として得られる各上記コンテンツデータ同士をリンクさせるためのものである
ことを特徴とする請求項１に記載の情報処理装置。
【請求項３】
上記主従関係は、１つのマスタと複数のスレイブとからなる
ことを特徴とする請求項２に記載の情報処理装置。
【請求項４】
上記検索手段により検索された上記コンテンツデータを出力する出力手段
を具えることを特徴とする請求項１に記載の情報処理装置。
【請求項５】
上記付加情報は、対応する上記撮影手段が撮影する際の時間情報及び位置情報を含むと共に、当該各時間情報が、対応する各上記撮像手段同士で一致させるように設定されており、
上記読出手段により読み出された上記付加情報に基づいて、各上記コンテンツデータに対応する各上記撮像手段同士の相対位置関係又は相対時間関係を認識する認識手段
を具え、
上記記憶手段は、
上記認識手段により認識された各上記撮影手段同士の上記相対位置関係又は上記相対時間関係を、各上記撮影手段に対応する各上記コンテンツデータにそれぞれ関連づけて記憶する
ことを特徴とする請求項１に記載の情報処理装置。
【請求項６】
各上記撮像手段において測定された当該各撮影手段の現在位置を、特定の上記撮影手段又は上記被写体を基準とする相対位置に変換する変換手段
を具えることを特徴とする請求項１に記載の情報処理装置。
【請求項７】
複数の撮影手段から被写体の撮影結果として得られるコンテンツデータを処理する情報処理方法において、
グループ化された各上記撮影手段から得られる各上記コンテンツデータ同士をリンクさせるためのアドレス情報を含む付加情報を、各上記コンテンツデータと関連づけて記憶する記憶ステップと、
上記記憶ステップにおいて記憶された上記付加情報を読み出す読出ステップと、
上記読出ステップにおいて特定の上記撮影手段に対応する上記コンテンツデータが読み出された場合、当該読み出されたコンテンツデータにリンクする上記コンテンツデータを自動的に検索する検索ステップと
を具えることを特徴とする情報処理方法。
【請求項８】
複数の撮影手段から被写体の撮影結果として得られるコンテンツデータを処理する情報処理を実行させるためのプログラムにおいて、
グループ化された各上記撮影手段から得られる各上記コンテンツデータ同士をリンクさせるためのアドレス情報を含む付加情報を、各上記コンテンツデータと関連づけて記憶する記憶ステップと、
上記記憶ステップにおいて記憶された上記付加情報を読み出す読出ステップと、
上記読出ステップにおいて特定の上記撮影手段に対応する上記コンテンツデータが読み出された場合、当該読み出されたコンテンツデータにリンクする上記コンテンツデータを自動的に検索する検索ステップと
をコンピュータに実行させるためのプログラム。
【請求項９】
複数の撮影手段から被写体の撮影結果として得られるコンテンツデータを処理する情報処理を実行させるためのプログラムを記録した記録媒体において、
グループ化された各上記撮影手段から得られる各上記コンテンツデータ同士をリンクさせるためのアドレス情報を含む付加情報を、各上記コンテンツデータと関連づけて記憶する記憶ステップと、
上記記憶ステップにおいて記憶された上記付加情報を読み出す読出ステップと、
上記読出ステップにおいて特定の上記撮影手段に対応する上記コンテンツデータが読み出された場合、当該読み出されたコンテンツデータにリンクする上記コンテンツデータを自動的に検索する検索ステップと
を実行させるためのプログラムを記録したコンピュータ読み取り可能な記録媒体。
【請求項１０】
複数の撮影手段から被写体の撮影結果として得られるコンテンツデータを処理する情報処理装置において、
グループ化された各上記撮影手段から得られる各上記コンテンツデータ同士をリンクさせるためのアドレス情報を含む付加情報を取得する取得手段と、
特定の上記撮影手段に対応する上記コンテンツデータが指定された場合に、上記取得手段により取得された各上記付加情報に基づいて、当該指定されたコンテンツデータにリンクする上記コンテンツデータを検索する検索手段と、
上記取得手段により取得された各上記付加情報と上記検索手段により検索された上記コンテンツデータとを用いて、各上記コンテンツデータを連動させた状態で表示させる表示制御手段と
を具えることを特徴とする情報処理装置。
【請求項１１】
各上記コンテンツデータに付加される上記付加情報は、各上記撮影手段が撮影する際の時間情報及び位置情報を含んでおり、
上記取得手段により各上記コンテンツデータから取得された上記付加情報に基づいて、当該各コンテンツデータに対応する各上記撮像手段同士の相対位置関係及び相対時間関係を認識する認識手段
を具え、
上記表示制御手段は、
上記認識手段により認識された上記相対位置関係及び相対時間関係に基づいて、各上記コンテンツデータを表示させる
ことを特徴とする請求項１０に記載の情報処理装置。
【請求項１２】
複数の撮影手段から被写体の撮影結果として得られるコンテンツデータを処理する情報処理方法において、
グループ化された各上記撮影手段から得られる各上記コンテンツデータ同士をリンクさせるためのアドレス情報を含む付加情報を取得する取得ステップと、
特定の上記撮影手段に対応する上記コンテンツデータが指定された場合に、上記取得ステップにおいて取得された各上記付加情報に基づいて、当該指定されたコンテンツデータにリンクする上記コンテンツデータを検索する検索ステップと、
上記取得ステップにおいて取得された各上記付加情報と上記検索手段により検索された上記コンテンツデータとを用いて、各上記コンテンツデータを連動させた状態で表示させる表示制御ステップと
を具えることを特徴とする情報処理方法。
【請求項１３】
複数の撮影手段から被写体の撮影結果として得られるコンテンツデータを処理する情報処理を実行させるためのプログラムにおいて、
グループ化された各上記撮影手段から得られる各上記コンテンツデータ同士をリンクさせるためのアドレス情報を含む付加情報を取得する取得ステップと、
特定の上記撮影手段に対応する上記コンテンツデータが指定された場合に、上記取得ステップにおいて取得された各上記付加情報に基づいて、当該指定されたコンテンツデータにリンクする上記コンテンツデータを検索する検索ステップと、
上記取得ステップにおいて取得された各上記付加情報と上記検索手段により検索された上記コンテンツデータとを用いて、各上記コンテンツデータを連動させた状態で表示させる表示制御ステップと
をコンピュータに実行させるためのプログラム。
【請求項１４】
複数の撮影手段から被写体の撮影結果として得られるコンテンツデータを処理する情報処理を実行させるためのプログラムを記録した記録媒体において、
グループ化された各上記撮影手段から得られる各上記コンテンツデータ同士をリンクさせるためのアドレス情報を含む付加情報を取得する取得ステップと、
特定の上記撮影手段に対応する上記コンテンツデータが指定された場合に、上記取得ステップにおいて取得された各上記付加情報に基づいて、当該指定されたコンテンツデータにリンクする上記コンテンツデータを検索する検索ステップと、
上記取得ステップにおいて取得された各上記付加情報と上記検索手段により検索された上記コンテンツデータとを用いて、各上記コンテンツデータを連動させた状態で表示させる表示制御ステップと
を実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】情報処理装置、情報処理方法、プログラム及び記録媒体
【手続補正３】
【補正対象書類名】明細書
【補正対象項目名】０００１
【補正方法】変更
【補正の内容】
【０００１】
本発明は、情報処理装置、情報処理方法、プログラム及び記録媒体に関し、例えばテレビジョン放送局で用いるサーバシステムに適用して好適なものである。
【手続補正４】
【補正対象書類名】明細書
【補正対象項目名】０００５
【補正方法】変更
【補正の内容】
【０００５】
本発明は以上の点を考慮してなされたもので、オペレータの作業効率を格段と向上することができる情報処理装置、情報処理方法、プログラム及び記録媒体を提案しようとするものである。
【手続補正５】
【補正対象書類名】明細書
【補正対象項目名】０００６
【補正方法】変更
【補正の内容】
【０００６】
かかる課題を解決するため本発明においては、複数の撮影手段から被写体の撮影結果として得られるコンテンツデータを処理する情報処理装置において、グループ化された各撮影手段から得られる各コンテンツデータ同士をリンクさせるためのアドレス情報を含む付加情報を、各コンテンツデータと関連づけて記憶する記憶手段と、記憶手段により記憶された付加情報を読み出す読出手段と、読出手段により記憶手段から特定の撮影手段に対応するコンテンツデータが読み出された場合、当該読み出されたコンテンツデータにリンクするコンテンツデータを自動的に検索する検索手段とを設けるようにした。この結果この情報処理装置では、記憶したコンテンツデータのみに基づいて、グループ化された各撮影手段により被写体を撮像した結果得られたコンテンツデータを容易に認識することができる。
【手続補正６】
【補正対象書類名】明細書
【補正対象項目名】０００７
【補正方法】変更
【補正の内容】
【０００７】
また本発明においては、複数の撮影手段から被写体の撮影結果として得られるコンテンツデータを処理する情報処理方法において、グループ化された各撮影手段から得られる各コンテンツデータ同士をリンクさせるためのアドレス情報を含む付加情報を、各コンテンツデータと関連づけて記憶する記憶ステップと、記憶ステップにおいて記憶された付加情報を読み出す読出ステップと、読出ステップにおいて特定の撮影手段に対応するコンテンツデータが読み出された場合、当該読み出されたコンテンツデータにリンクするコンテンツデータを自動的に検索する検索ステップとを設けるようにした。この結果この情報処理方法では、記憶したコンテンツデータのみに基づいて、グループ化された各撮影手段により被写体を撮像した結果得られたコンテンツデータを容易に認識することができる。
【手続補正７】
【補正対象書類名】明細書
【補正対象項目名】０００８
【補正方法】変更
【補正の内容】
【０００８】
さらに本発明においては、複数の撮影手段から被写体の撮影結果として得られるコンテンツデータを処理する情報処理装置において、グループ化された各撮影手段から得られる各コンテンツデータ同士をリンクさせるためのアドレス情報を含む付加情報を取得する取得手段と、特定の撮影手段に対応するコンテンツデータが指定された場合に、取得手段により取得された各付加情報に基づいて、当該指定されたコンテンツデータにリンクするコンテンツデータを検索する検索手段と、取得手段により取得された各付加情報と検索手段により検索されたコンテンツデータとを用いて、各コンテンツデータを連動させた状態で表示させる表示制御手段とを設けるようにした。この結果この情報処理装置では、記憶したコンテンツデータのみに基づいて、グループ化された各撮影手段により被写体を撮像した結果得られたコンテンツデータを容易に表示させることができる。
【手続補正８】
【補正対象書類名】明細書
【補正対象項目名】０００９
【補正方法】変更
【補正の内容】
【０００９】
さらに本発明においては、複数の撮影手段から被写体の撮影結果として得られるコンテンツデータを処理する情報処理方法において、グループ化された各撮影手段から得られる各コンテンツデータ同士をリンクさせるためのアドレス情報を含む付加情報を取得する取得ステップと、特定の撮影手段に対応するコンテンツデータが指定された場合に、取得ステップにおいて取得された各付加情報に基づいて、当該指定されたコンテンツデータにリンクするコンテンツデータを検索する検索ステップと、取得ステップにおいて取得された各付加情報と検索手段により検索されたコンテンツデータとを用いて、各コンテンツデータを連動させた状態で表示させる表示制御ステップとを設けるようにした。この結果この情報処理方法では、記憶したコンテンツデータのみに基づいて、グループ化された各撮影手段により被写体を撮像した結果得られたコンテンツデータを容易に表示させることができる。
【手続補正９】
【補正対象書類名】明細書
【補正対象項目名】００１０
【補正方法】変更
【補正の内容】
【００１０】
本発明によれば、複数の撮影手段から被写体の撮影結果として得られるコンテンツデータを処理する情報処理装置において、グループ化された各撮影手段から得られる各コンテンツデータ同士をリンクさせるためのアドレス情報を含む付加情報を、各コンテンツデータと関連づけて記憶する記憶手段と、記憶手段により記憶された付加情報を読み出す読出手段と、読出手段により記憶手段から特定の撮影手段に対応するコンテンツデータが読み出された場合、当該読み出されたコンテンツデータにリンクするコンテンツデータを自動的に検索する検索手段とを設けるようにしたことにより、記憶したコンテンツデータのみに基づいて、グループ化された各撮影手段により被写体を撮像した結果得られたコンテンツデータを容易に認識することができ、かくしてオペレータの作業効率を格段と向上することができる情報処理装置を実現できる。
【手続補正１０】
【補正対象書類名】明細書
【補正対象項目名】００１１
【補正方法】変更
【補正の内容】
【００１１】
また本発明によれば、複数の撮影手段から被写体の撮影結果として得られるコンテンツデータを処理する情報処理方法において、グループ化された各撮影手段から得られる各コンテンツデータ同士をリンクさせるためのアドレス情報を含む付加情報を、各コンテンツデータと関連づけて記憶する記憶ステップと、記憶ステップにおいて記憶された付加情報を読み出す読出ステップと、読出ステップにおいて特定の撮影手段に対応するコンテンツデータが読み出された場合、当該読み出されたコンテンツデータにリンクするコンテンツデータを自動的に検索する検索ステップとを設けたことにより、記憶したコンテンツデータのみに基づいて、グループ化された各撮影手段により被写体を撮像した結果得られたコンテンツデータを容易に認識することができ、かくしてオペレータの作業効率を格段と向上することができる情報処理方法を実現できる。
【手続補正１１】
【補正対象書類名】明細書
【補正対象項目名】００１２
【補正方法】変更
【補正の内容】
【００１２】
さらに本発明においては、複数の撮影手段から被写体の撮影結果として得られるコンテンツデータを処理する情報処理装置において、グループ化された各撮影手段から得られる各コンテンツデータ同士をリンクさせるためのアドレス情報を含む付加情報を取得する取得手段と、特定の撮影手段に対応するコンテンツデータが指定された場合に、取得手段により取得された各付加情報に基づいて、当該指定されたコンテンツデータにリンクするコンテンツデータを検索する検索手段と、取得手段により取得された各付加情報と検索手段により検索されたコンテンツデータとを用いて、各コンテンツデータを連動させた状態で表示させる表示制御手段とを設けるようにした。この結果この情報処理装置では、記憶したコンテンツデータのみに基づいて、グループ化された各撮影手段により被写体を撮像した結果得られたコンテンツデータを容易に表示させることができ、かくしてオペレータの作業効率を格段と向上することができる情報処理装置を実現できる。
【手続補正１２】
【補正対象書類名】明細書
【補正対象項目名】００１３
【補正方法】変更
【補正の内容】
【００１３】
さらに本発明においては、複数の撮影手段から被写体の撮影結果として得られるコンテンツデータを処理する情報処理方法において、グループ化された各撮影手段から得られる各コンテンツデータ同士をリンクさせるためのアドレス情報を含む付加情報を取得する取得ステップと、特定の撮影手段に対応するコンテンツデータが指定された場合に、取得ステップにおいて取得された各付加情報に基づいて、当該指定されたコンテンツデータにリンクするコンテンツデータを検索する検索ステップと、取得ステップにおいて取得された各付加情報と検索手段により検索されたコンテンツデータとを用いて、各コンテンツデータを連動させた状態で表示させる表示制御ステップとを設けるようにした。この結果この情報処理方法では、記憶したコンテンツデータのみに基づいて、グループ化された各撮影手段により被写体を撮像した結果得られたコンテンツデータを容易に表示させることができ、かくしてオペレータの作業効率を格段と向上することができる情報処理方法を実現できる。